(57)【要約】【課題】カップを収納しない不使用時、カップの収納空間をベース部材から見えなくしてベース部材の上面を整然とすることができ、使用時にカップの収納空間を半自動的に形成でき、構成が簡単で低コストで構成できるカップホルダを提供する。【解決手段】カップホルダＨのカップトレイ３０はロック機構９０が操作ボタン１１０によりロック解除された際、自重により下降して不使用位置に位置する。ロック機構９０は規制体５０が規制位置に位置した状態で第１位置へ操作された際、連動機構によりカップトレイ３０が使用位置から不使用位置へ復帰したとき、カップトレイ３０を不使用位置でロックする。【選択図】図２
2013107456.tif 000002
【特許請求の範囲】
【請求項１】
ベース部材に形成された収納部の開口部に位置して前記開口部を閉塞する不使用位置と不使用位置よりも下方であって収納部の開口部を開放する使用位置間を移動可能に支持されたカップトレイと、
前記カップトレイを不使用位置にロックするロック手段と、
前記ロック手段をロック解除するロック解除手段と、
第１位置と第２位置間を移動自在に前記ベース部材に対して設けられた操作部材と、
ロック解除されたカップトレイが下降する際に、カップトレイの下降に連動して前記操作部材を前記第１位置から第２位置に移動させる連動機構を備え、
前記カップトレイは、自身の重量で下降可能に構成され、又はカップトレイに付加された重量付加手段により下降可能に構成され、又は前記カップトレイとカップトレイに載せられたカップと内容物の重量により下降可能に構成され、
前記カップトレイは、前記ロック手段が前記ロック解除手段によりロック解除された際に、下降して使用位置に位置し、
前記ロック手段は、操作部材が第２位置から第１位置へ操作された際、前記連動機構により前記カップトレイが使用位置から不使用位置へ復帰したとき、前記カップトレイを不使用位置でロックすることを特徴とするカップホルダ。
【請求項２】
前記操作部材が、前記カップトレイに載置されたカップを前記カップトレイの上方空間で規制する規制体であることを特徴とする請求項１に記載のカップホルダ。
【請求項３】
前記操作部材が第１位置に位置するとき、操作部材の上面と前記ベース部材の上面とは面一にされていることを特徴とする請求項２に記載のカップホルダ。
【請求項４】
前記カップトレイの不使用位置から使用位置へ下降する際に、下降の衝撃を緩和する緩和手段を備えることを特徴とする請求項１乃至請求項３のうちいずれか１項に記載のカップホルダ。
【請求項５】
前記カップトレイの不使用位置に位置するとき、前記カップトレイのカップを載置する載置面と前記ベース部材の上面とは面一にされていることを特徴とする請求項１乃至請求項４のうちいずれか１項に記載のカップホルダ。
【発明の詳細な説明】
【技術分野】
【０００１】
本発明は、自動車の車室内に設けられるカップホルダに関する。
【背景技術】
【０００２】
従来から自動車の車室内では助手席と運転席間に設けられたコンソール等に缶、カップ、ボトル等の飲料容器を収納するためのカップホルダが設けられていることが多い。
特許文献１及び特許文献２では、コンソールの上面を凹設して、該凹設された部分を、カップを収納するカップホルダとしたものが提案されている。しかし、コンソール上面にカップホルダを凹設する場合、カップを収納しない不使用時にはコンソール上面が整然とならない問題がある。
【０００３】
特許文献３では、コンソール内に有底筒状のカップホルダを上下動自在に支持し、使用時にはコンソール内から突出した位置に位置させ、不使用時にはコンソール内に収納するとともにカップホルダがコンソールから出入りする出入り口を蓋体で閉塞するようにしている。特許文献３では、カップを収納しない不使用時には、コンソール上面の前記出入り口がカップホルダで閉塞されるため、コンソール上面が整然にすることができる利点がある。
【０００４】
また、特許文献４では、コンソールの上面に対して、収納穴を有する容器状の基体を埋め込むように配置し、前記基体に対して、収納穴を塞ぐ低円筒状の蓋体を１８０度上下反転可能に支持するとともに前記基体に上下方向に摺動自在に支持した筒状の保持部材を配置したカップホルダが提案されている。
【０００５】
この構成によれば、蓋体は不使用時には底面（意匠面）をコンソール上面と面一とし、使用時に反転して容器の下部を収納可能にしている。一方、筒状の保持部材は、不使用時には、コンソール内に収納し、使用時には、コンソール上面から突出配置して、この状態で、容器の上部を保持できるようにしている。
【０００６】
特許文献４によれば、容器を保持しない不使用状態では、蓋体がコンソールの上面と面一になるとともに、保持部材がコンソール内に収納されて隠れるため、コンソール上面にスペースを確保でき、整然にすることができる利点がある。また、容器を保持する使用状態では、反転された蓋体が収納穴内でコップ下部を支持するとともに、保持部材がコンソール上面から突出してコップの上部を保持するため、高さが高いコップを安定して保持できる利点がある。
【先行技術文献】
【特許文献】
【０００７】
【特許文献１】特開平７−１１２６４２号公報、図１、図３
【特許文献２】特開２０１１−１１１０７２号公報
【特許文献３】特開２００６−２８２０９４号公報
【特許文献４】特開２００９−４０１９６号公報
【発明の概要】
【発明が解決しようとする課題】
【０００８】
ところが、特許文献３では、蓋体は、モータで駆動されるようにしているため、モータ及びモータを制御するコントローラが必要となり、コストアップとなる問題がある。
特許文献４のカップホルダでは、不使用状態から使用状態に変移する際、保持部材（保持体に相当）がコンソール上面から上方への移動と、蓋体の反転が同時に行われるように両者間が連動機構で連結作動されている。特許文献４では、カップホルダを使用したい場合、予めロック解除のための押しボタンを操作することにより、蓋体を反転させるとともに保持部材を同時に上昇移動させる必要がある。このため、ロック解除する前に容器を反転前の不使用状態の蓋体に載置した状態でカップホルダのロックを解除すると、蓋体に載置された容器が転倒するおそれがある。
【０００９】
本発明の目的は、カップを収納しない不使用時には、カップを収納する収納空間をベース部材から見えなくしてベース部材の上面を整然とすることができるとともに、使用時にはカップの収納空間を半自動的に形成でき、しかも、モータ及びコントローラを必要としないため、構成が簡単で低コストで構成でき、さらにカップ収納時にカップが転倒することないカップホルダを提供することにある。
【課題を解決するための手段】
【００１０】
上記問題点を解決するために、請求項１に記載の発明は、ベース部材に形成された収納部の開口部に位置して前記開口部を閉塞する不使用位置と不使用位置よりも下方であって収納部の開口部を開放する使用位置間を移動可能に支持されたカップトレイと、前記カップトレイを不使用位置にロックするロック手段と、前記ロック手段をロック解除するロック解除手段と、第１位置と第２位置間を移動自在に前記ベース部材に対して設けられた操作部材と、ロック解除されたカップトレイが下降する際に、カップトレイの下降に連動して前記操作部材を前記第１位置から第２位置に移動させる連動機構を備え、前記カップトレイは、自身の重量で下降可能に構成され、又はカップトレイに付加された重量付加手段により下降可能に構成され、又は前記カップトレイとカップトレイに載せられたカップと内容物の重量により下降可能に構成され、前記カップトレイは、前記ロック手段が前記ロック解除手段によりロック解除された際に、下降して使用位置に位置し、前記ロック手段は、操作部材が第２位置から第１位置へ操作された際、前記連動機構により前記カップトレイが使用位置から不使用位置へ復帰したとき、前記カップトレイを不使用位置でロックすることを特徴とするカップホルダを要旨としている。
【００１１】
請求項１の発明によれば、ロック解除手段によりロック手段のロックを解除すると、カップトレイが下降して使用位置に位置し、ベース部材の収納部がカップの収納空間として半自動的に形成される。
【００１２】
また、操作部材はロック解除されたカップトレイが下降する際に、カップトレイの下降に連動する連動機構により第１位置から第２位置へ移動する。操作部材が第２位置から第１位置へ操作されると、連動機構によりカップトレイが使用位置から不使用位置へ復帰したとき、カップトレイが不使用位置でロックされる。
【００１３】
請求項２の発明は、請求項１において、前記操作部材が、前記カップトレイに載置されたカップ（Ｃ）を前記カップトレイ（３０）の上方空間で規制する規制体（５０）であることを特徴とする。
【００１４】
請求項２の発明によれば、操作部材を規制体とすることにより、カップトレイに載置されたカップをカップトレイの上方空間で規制する。
請求項３の発明は、請求項２において、前記操作部材が第１位置に位置するとき、操作部材の上面と前記ベース部材の上面とは面一にされていることを特徴とする。
【００１５】
請求項３の発明によれば、操作部材が第１位置に位置するとき、操作部材の上面とベース部材の上面とは面一にされているため、カップホルダが不使用のときは、操作部材によりベース部材の上面が雑然とすることなく整然とすることが可能となる。
【００１６】
請求項４の発明によれば、カップトレイの不使用位置から使用位置へ下降する際に、下降の衝撃を緩和する緩和手段を備えることにより、カップトレイにカップを載置した状態で、使用位置へ下降する際、カップへの衝撃が抑制され、カップ内の飲み物等がこぼれることがない。
【００１７】
請求項５の発明は、請求項１乃至請求項４のうちいずれか１項において、前記カップトレイの不使用位置に位置するとき、前記カップトレイのカップを載置する載置面と前記ベース部材の上面とは面一にされていることを特徴とする。
【００１８】
請求項５の発明によれば、カップトレイの不使用位置に位置するとき、カップトレイのカップを載置する載置面とベース部材の上面とが面一にされていることにより、カップホルダが不使用のときは、カップトレイによりベース部材の上面が雑然とすることなく整然とすることが可能となる。
【発明の効果】
【００１９】
請求項１乃至請求項５の発明によれば、カップを収納しない不使用時には、カップを収納する収納空間をベース部材から見えなくしてベース部材の上面を整然とすることができるとともに、使用時にはカップの収納空間を半自動的に形成でき、しかも、モータ及びコントローラを必要としないため、構成が簡単で低コストで構成でき、さらにカップ収納時にカップが転倒することないカップホルダを提供できる。
【図面の簡単な説明】
【００２０】
【図１】（ａ）はカップを収納していない状態のベース部材を表面側から見た一実施形態のカップホルダの斜視図、（ｂ）はカップを収納している状態のベース部材を表面側から見た一実施形態のカップホルダの斜視図。
【図２】（ａ）はカップを収納していない状態の一実施形態のカップホルダの断面図、（ｂ）はカップを収納している状態の一実施形態のカップホルダの断面図。
【図３】図２（ａ）の３−３線断面図。
【図４】図２（ａ）の４−４線断面図。
【図５】一実施形態のカップホルダのカップトレイと規制体の動作のタイミングチャート。
【発明を実施するための形態】
【００２１】
（実施形態）
以下、本発明の実施形態として、自動車のコンソール（コンソールボックスともいう、以下単にコンソールという）に配置したカップホルダＨについて図１〜図５を参照して説明する。
【００２２】
図２（ａ）、図２（ｂ）に示すように、自動車のコンソール１０の上壁には、収納部１１が形成されている。収納部１１は、コンソール１０の上壁から、筒状に形成された収納壁１２が下方へ突出されることにより形成されている。コンソール１０は、ベース部材に相当する。
【００２３】
収納壁１２は、上下方向の中央部から上部は断面円形状をなす筒部１４となっており、断面円形状の内周面１６を有する。また、収納壁１２の上下方向の中央部から下部は断面正四角筒状をなす筒部１８となっている。筒部１８の各コーナーには、対角線上に位置して相対するコーナーに向かって、突条２０が突出され、上下方向に延びている。各突条２０の上端面２２は、同一高さに形成され、後述するカップトレイ３０を係止可能である。
【００２４】
収納部１１内には、上面をカップＣの載置面３０ａとするカップトレイ３０が上下方向へ移動自在に収納されている。カップトレイ３０は、断面正四角筒状をなす筒部３２（図３参照）と、筒部３２の上部を覆うように形成された円板状のトレイ部３４により構成されている。トレイ部３４は図２（ａ）、図２（ｂ）に示すように周縁部が下方に折り返されて、内周面１６に対して摺接可能な周壁３６が形成されている。また、周壁３６の下面はトレイ部３４が下方へ移動した際に、各突条２０の上端面２２に係止可能である。周壁３６が突条２０の上端面２２に係止した際のカップトレイ３０の位置は使用位置に相当する。
【００２５】
図３に示すように筒部３２の各コーナーには、相互に離間した一対のガイド片３５がそれぞれ外方に向かって突出されている。各一対のガイド片３５間には、前記突条２０がそれぞれ上下方向に摺動自在に挿入されている。
【００２６】
前記カップトレイ３０のトレイ部３４が、図１及び図２（ａ）に示すように、収納部１１の開口部に位置する不使用位置では、その意匠面（上面）がコンソール１０上面と面一となるように設定されている。そして、カップトレイ３０は不使用位置と、使用位置間で収納部１１内において移動可能である。カップトレイ３０が不使用位置から使用位置へ移動すると、収納部１１の開口部が閉塞された状態から開放されて、収納部１１内において、使用位置に位置するカップトレイ３０の載置面３０ａの上方空間をカップ収納空間として形成される。
【００２７】
また、図３に示すように筒部３２の一側壁外面には、上下方向に延びるラック３８が形成されている。
ラック３８と相対する筒部１８には、図３に示すように、一対の取付壁１９が相対して形成されている。両取付壁１９には、前記ラック３８と噛合するピニオン４０が軸４０ａにより回動自在に支持されている。
【００２８】
取付壁１９に近位に位置する後述する規制体５０のサポートピラー５４には、ラック歯５９が上下方向に並んで形成され、取付壁１９から突出した軸４０ａには、ラック歯５９と噛合する歯車６０が固定されている。ピニオン４０、軸４０ａ及び歯車６０により、連動機構１００が構成されている。
【００２９】
図１（ｂ）、図２（ａ）に示すように、収納部１１の上部の内周面１６の開口周縁には、円形リング状の係止段部１６ａが形成されている。
規制体５０について説明する。規制体５０は、図２（ａ）、図２（ｂ）に示すように、係止段部１６ａ上面に載置可能に形成された円形リング状の規制リング５２と、規制リング５２の下面に連結固定されるとともに係止段部１６ａに対して上下方向に摺動自在に貫通した複数のサポートピラー５４と、各サポートピラー５４の下端に連結固定された円形リング状の連結環５６とにより構成されている。規制リング５２は、収納部１１の内周面１６の中心と同心となるように設定されている。
【００３０】
図４に示すようにコンソール１０の筒部１４の外面にはガイド筒７４が上下方向に延出されているとともに、各サポートピラー５４の上部はガイド筒７４内面に設けられたガイド突条７６により上下方向に円滑に滑動するようにガイドされている。ガイド筒７４の下端は、後述する第１位置に位置していた規制体５０が上昇作動した際、規制体５０の連結環５６が当接係止可能である（図２（ｂ）参照）。この上昇して連結環５６に係止したときの位置を、規制リング５２がコンソール１０上面から遠位に離間した規制体５０の規制位置という。前記規制位置は、第２位置に相当する。
【００３１】
また、規制体５０は、カップトレイ３０が不使用位置から使用位置間を移動する際に前記連動機構１００を介して連動する。そして、カップトレイ３０が、不使用位置に位置している際は、規制リング５２が係止段部１６ａ上面に載置された第１位置に位置するように設定されている。さらに、規制リング５２が係止段部１６ａ上面に載置された第１位置に位置している場合、規制リング５２の上面は、コンソール１０の上面と面一となるようにその高さが設定されている。また、カップトレイ３０が、使用位置に位置する際は、規制体５０は、図２（ｂ）に示すように連結環５６がガイド筒７４の下端に係止する規制位置間を移動可能である。このようにして、規制体５０は、連動機構１００により連動することにより第１位置と第２位置（規制位置）間で移動可能である。
【００３２】
カップトレイ３０のトレイ部３４の下面と、コンソール１０の下部間には、緩和手段としてのエアーダンパ８０が配置されている。エアーダンパ８０は、コンソール１０の下部に固定されたシリンダ８２と、シリンダ８２の上部から上下方向への進退可能に内嵌されたロッド８４からなる。ロッド８４はトレイ部３４の中央下面に連結されている。
【００３３】
本実施形態では、カップトレイ３０の自重は、エアーダンパ８０の反力と規制体５０の自重を加えたものよりも大きく設定されている。このため、カップトレイ３０の拘束が解除された際に、エアーダンパ８０の反力に抗して連動機構１００を介して、規制体５０を上昇させることが可能となっている。カップトレイ３０の自重は自重手段に相当する。また、規制体５０は、操作部材に相当する。
【００３４】
図２（ａ）、図２（ｂ）に示すように、係止段部１６ａの近傍において、コンソール１０の上面には、カップトレイ３０を不使用位置にロック規制するためのロック手段としてのロック機構９０が設けられている。
【００３５】
ロック機構９０について説明する。
コンソール１０の上壁において、係止段部１６ａの下方にはロック部材収納室９２が設けられ、ロック部材収納室９２内には、ロック部材９４が収納部１１の中心に向かって移動自在に収納されている。ロック部材収納室９２は、収納部１１側の端部が開口されていて、ロック部材９４の先端が収納部１１内に突出可能となっている。この突出位置を以下ロック位置という。ロック部材９４の先端は斜め下方に向かうように傾斜面９４ｂが形成されている。また、ロック部材収納室９２は、収納部１１側とは反対側の閉塞端とされていて、該端部とロック部材９４の基端間にはロック部材９４を収納部１１側へ常時付勢する付勢手段としてのコイルスプリング９６が配置されている。なお、付勢手段としては板バネ等の他のバネ材、或いはゴム等の弾性部材であってもよい。ロック部材９４の上面には、係止段部１６ａに向かった斜状の操作面９４ａが形成されている。ロック部材９４と、付勢部材としてのコイルスプリング９６とによりロック機構９０が構成されている。
【００３６】
ロック部材収納室９２の上方のコンソール１０の上壁には、下面に係止段部９８ａを備えた操作ボタン用の貫通孔９８が貫通されている。貫通孔９８には、下方から上下移動自在に挿通された操作ボタン１１０が挿入されている。操作ボタン１１０には、係止段部９８ａに係止可能にフランジ１１２が形成されている。また、操作ボタン１１０の下部には、ロック部材９４の操作面９４ａに当接する突起１１４が突出されている。
【００３７】
ロック部材９４は、操作ボタン１１０が操作されていない場合は、図２（ａ）に示すように、コイルスプリング９６の付勢によってロック部材９４の先端が収納部１１内に突出するロック位置に位置することにより、カップトレイ３０を不使用位置に規制すべくカップトレイ３０の周壁３６の下面を係止し、ロックしている。また、操作ボタン１１０はコイルスプリング９６の付勢により、操作面９４ａに押圧されてフランジ１１２が係止段部９８ａに係止されるとともに、上部が貫通孔９８から上方に突出されている。
【００３８】
また、上記のようにカップトレイ３０が不使用位置にロックされた状態で、コイルスプリング９６の付勢力に抗して操作ボタン１１０が上方から下方へ押圧操作されると、突起１１４が操作面９４ａを押圧して、ロック部材９４をロック部材収納室９２の閉塞端側へ移動する。このことにより、周壁３６の下面への係止が解除されてカップトレイ３０の不使用位置のロックが解除される。このように操作ボタン１１０は、ロック機構９０（ロック手段）のロック解除手段に相当する。
【００３９】
（実施形態の作用）
次に、本実施形態のカップホルダＨの作用を説明する。
１．  カップホルダＨを使用状態にする場合
図２（ａ）に示すように、規制体５０が第１位置に位置し、カップトレイ３０が不使用位置に位置している状態で、操作ボタン１１０を乗員が押圧操作すると、ロック機構９０のロックが解除されて、カップトレイ３０が自重により不使用位置から使用位置へ下降する（図５参照）。この下降は、エアーダンパ８０により、ロック解除時の衝撃が緩和されてスムーズに行われる。なお、乗員による操作ボタン１１０の押圧操作が解除されると、カップトレイ３０のロックを解除したロック部材９４の先端は、コイルスプリング９６により付勢されて図２（ａ）の実線で示すロック位置に復帰する。
【００４０】
カップトレイ３０の下動により、ラック３８を介してピニオン４０が回動されて、連動機構１００の軸４０ａ、歯車６０を介してラック歯５９を有するサポートピラー５４が上動する。このことにより規制体５０が第１位置から規制位置まで上昇する。
【００４１】
規制体５０が規制位置に位置している場合、カップトレイ３０の自重により、規制体５０が下降することが防止されている。
そして、この状態では収納部１１の開口部の閉塞が解除されて、収納部１１においてカップトレイ３０の載置面３０ａの上方空間は、カップＣの収納空間が形成されるため、この収納空間内にカップＣを収納し、載置面３０ａに載置する。カップＣのコンソール１０上面から突出した部位は、規制体５０の規制リング５２により、傾きが防止され、或いは規制可能であり、カップＣが倒れることもない。
【００４２】
２．カップホルダＨを不使用状態にする場合
図２（ｂ）に示す状態で、乗員が規制位置に位置する規制体５０の規制リング５２を第１位置まで下方に押圧操作する。
【００４３】
この押圧により、連動機構１００及びカップトレイ３０は、前述の作動とは逆方向に動作し、カップトレイ３０が使用位置から不使用位置へ上昇する。
また、カップトレイ３０が上昇して、ロック位置に位置するロック部材９４の先端の傾斜面９４ｂを押圧すると、ロック部材９４は、コイルスプリング９６の付勢力に抗してロック部材収納室９２側にロック位置から退避する。この後、カップトレイ３０の周壁３６の下面がロック部材９４の先端上方に移動するとコイルスプリング９６の付勢力によりロック部材９４の先端がロック位置に復帰して、周壁３６の下面を係止する。
【００４４】
本実施形態によれば、以下のような特徴がある。
（１）  本実施形態のカップホルダＨでは、コンソール１０（ベース部材）に形成された収納部１１の開口部に位置して開口部を閉塞する不使用位置と不使用位置よりも下方であって収納部１１の開口部を開放する使用位置間を移動可能に支持されたカップトレイ３０と、カップトレイ３０を不使用位置にロックするロック機構９０（ロック手段）と、ロック機構９０をロック解除する操作ボタン１１０（ロック解除手段）を備えている。
【００４５】
また、カップホルダＨは、コンソール１０の上面に対して、第１位置と規制位置（第２位置）間を移動自在に設けられた規制体５０（操作部材）と、ロック解除されたカップトレイ３０が下降する際に、カップトレイ３０の下降に連動して規制体５０（操作部材）を第１位置から規制位置（第２位置）に移動させる連動機構１００を備えている。また、カップホルダＨでは、カップトレイ３０が、自身の重量で下降可能な自重（自重手段）を有する。そして、カップトレイ３０は、ロック機構９０（ロック手段）が操作ボタン１１０（ロック解除手段）によりロック解除された際に、自重により下降して不使用位置に位置する。また、ロック機構９０（ロック手段）は、規制体５０（操作部材）が規制位置（第２位置）から第１位置へ操作された際、連動機構１００によりカップトレイ３０が使用位置から不使用位置へ復帰したとき、カップトレイ３０を不使用位置でロックする。
【００４６】
この結果、本実施形態のカップホルダＨでは、操作ボタン１１０（ロック解除手段）によりロック機構９０（ロック手段）のロックを解除すると、カップトレイ３０が自身の重量により下降して使用位置に位置し、コンソール１０の収納部１１がカップの収納空間として半自動的に形成される。
【００４７】
このため、本実施形態によれば、カップを収納しない不使用時には、カップを収納する収納空間をベース部材から見えなくしてベース部材の上面を整然とすることができるとともに、使用時にはカップの収納空間を半自動的に形成でき、しかも、モータ及びコントローラを必要としないため、構成が簡単で低コストで構成でき、さらにカップ収納時にカップが転倒することない。
【００４８】
（２）  本実施形態のカップホルダＨは、操作部材が、カップトレイ３０に載置されたカップＣをカップトレイ３０の上方空間で規制する規制体５０としていることにより、カップトレイ３０に載置されたカップＣをカップトレイの上方空間で規制でき、或いはカップＣの径が収納部１１の径よりも小径の場合は、傾きが抑制できる。
【００４９】
（３）  本実施形態のカップホルダＨは、規制体５０（操作部材）が第１位置に位置するとき、規制体５０（操作部材）の規制リング５２上面とコンソール１０の上面とは面一にされているため、カップホルダＨが不使用のときは、規制体５０によりベース部材の上面が雑然とすることなく整然とすることができる。
【００５０】
（４）  本実施形態のカップホルダＨは、カップトレイ３０の不使用位置から使用位置へ下降する際に、下降の衝撃を緩和するエアーダンパ８０（緩和手段）を備えることにより、カップトレイにカップを載置した状態で、使用位置へ下降する際、カップへの衝撃が抑制され、カップ内の飲み物等がこぼれることがない。
【００５１】
（５）  本実施形態のカップホルダＨは、カップトレイ３０の不使用位置に位置するとき、カップトレイ３０のカップＣを載置する載置面３０ａとコンソール１０の上面とが面一にされていることにより、カップホルダＨが不使用のときは、カップトレイ３０によりコンソール１０の上面が雑然とすることなく整然とすることができる。
【００５２】
なお、本実施形態は以下のように変更してもよい。
・  前記実施形態では、ベース部材をコンソール１０としたが、コンソール１０に限定するものではない。
【００５３】
・  前記実施形態では、サポートピラー５４を複数設けたが、単数であってもよい。
・  前記実施形態では、カップトレイ３０の自重を自重手段としたが、カップトレイ３０に重量付加手段として重りを付加してもよい。例えばカップトレイ３０の自重のみでは、エアーダンパ８０の反力及び規制体５０の重量に抗して、規制体５０を上昇させることができない場合、前記重りを、例えば、カップトレイ３０の裏面側に取付けて、重りとカップトレイ３０の自重を加えた重さにより、エアーダンパ８０の反力及び規制体５０の重量に抗して、規制体５０を上昇させるようにする。
【００５４】
また、カップトレイ３０の自重により下降させるように構成する代わりに、カップトレイ３０とカップトレイ３０に載せられたカップと内容物の重量により下降を可能としてもよい。すなわち、カップトレイ自身の重量ではロック手段のロックを解除しても、下降はしないが、不使用位置に位置するカップトレイ３０に飲料等の内容物を貯留したカップを載置した状態でロック手段のロックを解除した場合には、前記カップを搭載した状態のカップトレイ３０が、カップ及び内容物、並びにカップトレイの合計重量により下降を開始するようにカップトレイ３０の重量を設定する。
【００５５】
・  前記実施形態からエアーダンパ８０を省略してもよい。
・  前記実施形態では、操作部材を規制体５０としたが、規制体５０に限定されるものではない。
【００５６】
例えば、規制体５０を省略して、すなわち規制リング５２、及びラック歯５９を有するサポートピラー５４以外のサポートピラー５４を省略して。残ったラック歯５９を有するサポートピラー５４を操作部材にする。この場合、ラック歯５９を有する操作部材の上端には、操作ノブ等を設けるようにする。
【符号の説明】
【００５７】
１０…コンソール（ベース部材）、
１１…収納部、３０…カップトレイ、３４…トレイ部、
５０…規制体（操作部材）、８０…エアーダンパ（緩和手段）、
９０…ロック機構（ロック手段）、１００…連動機構、
１１０…操作ボタン（ロック解除手段）、Ｃ…カップ。
【図１】
2013107456.tif 000003
【図２】
2013107456.tif 000004
【図３】
2013107456.tif 000005
【図４】
2013107456.tif 000006
【図５】
2013107456.tif 000007